(57)【要約】【課題】ブースタ装置により送信されるべき上りリンクの信号が、該ブースタ装置の送信出力を超えることを減少させること。【解決手段】基地局は、移動機との間で送受信される信号の遅延時間に基づいて、該移動機がブースタ装置を介して無線通信を行っているかどうかを判別する判別部と、移動機からの上りリンクの信号の受信SIRに基づいて送信電力制御を行う際に、該受信SIRと比較すべき目標SIRを設定する目標SIR設定部と、該目標SIRと、受信SIRとに基づいて、移動機の送信電力を制御するために設定すべき送信電力制御信号を生成する送信電力制御信号生成部と、移動局に、送信電力制御信号を送信する送信部とを有する。目標SIR設定部は、移動機がブースタ装置を介して無線通信を行っていると判定された場合に、目標SIRを所定の上限値以下に設定する。【選択図】図４
2012085058.tif 000002
【特許請求の範囲】
【請求項１】
移動機との間で無線通信を行う基地局であって、
移動機との間で送受信される信号の遅延時間に基づいて、該移動機がブースタ装置を介して無線通信を行っているかどうかを判別する第１の判別部と、
前記移動機からの上りリンクの信号の受信SIRに基づいて送信電力制御を行う際に、該受信SIRと比較すべき目標SIRを設定する目標SIR設定部と、
該目標SIR設定部により設定された目標SIRと、前記受信SIRとに基づいて、前記移動機の送信電力を制御するために設定すべき送信電力制御信号を生成する送信電力制御信号生成部と、
前記移動局に、前記送信電力制御信号生成部により生成された送信電力制御信号を送信する送信部と
を有し、
前記目標SIR設定部は、前記第１の判別部により前記移動機が前記ブースタ装置を介して無線通信を行っていると判定された場合に、目標SIRを所定の上限値以下に設定する、基地局。
【請求項２】
請求項１に記載の基地局において、
下りリンクの受信品質に基づいて、リソースブロックを割り当てるべき移動機を設定するスケジューラ
を有し、
前記スケジューラは、前記第１の判別部により、前記ブースタ装置を介して無線通信を行っていると判定された移動機に対して割り当てるべきリソースブロックの数を制限する、基地局。
【請求項３】
請求項１又は２に記載の基地局において、
前記移動機からの上りリンクの信号に基づいて測定されたパスロスに基づいて、該移動機がブースタ装置を介して無線通信を行っているかどうかを判別する第２判別部
を有し、
前記目標SIR設定部は、前記第１の判別部により前記移動機が前記ブースタ装置を介して無線通信を行っていると判定され、且つ前記第２の判別部により前記移動機が前記ブースタ装置を介して無線通信を行っていると判定された場合に、目標SIRを所定の上限値以下に設定する、基地局。
【請求項４】
請求項１ないし３のいずれか１項に記載の基地局において、
前記第１の判別部は、前記遅延時間が、遅延時間閾値以上である場合に、移動機がブースタ装置を介して無線通信を行っていると判定し、
前記遅延時間閾値は、当該基地局と前記ブースタ装置との間の距離、前記ブースタ装置の処理時間に基づいて設定される、基地局。
【請求項５】
請求項４に記載の基地局において、
遅延時間閾値以上の複数の遅延時間区分値により示される複数の範囲と、目標SIRの上限値との対応を示すテーブル
を有し、
前記第１の判別部は、前記テーブルに含まれる前記複数の遅延時間区分値により示される範囲のうち、前記遅延時間が含まれる範囲を判別し、
前記目標SIR設定部は、前記第１の判別部により判別された範囲に該当する目標SIRの上限値以下に設定する、基地局。
【請求項６】
請求項３ないし５のいずれか１項に記載の基地局において、
前記第２の判別部は、前記パスロスが、パスロス閾値未満である場合に、移動機がブースタ装置を介して無線通信を行っていると判定し、
前記パスロス閾値は、当該基地局と前記ブースタ装置との間の距離に基づいて設定される、基地局。
【請求項７】
請求項６に記載の基地局において、
パスロス閾値未満の複数のパスロス区分値により示される複数の範囲と、目標SIRの上限値との対応を示すテーブル
を有し、
前記第２の判別部は、前記テーブルに含まれる前記複数のパスロス区分値により示される複数の範囲のうち、前記パスロスが含まれる範囲を判別し、
前記目標SIR設定部は、前記第２の判別部により判別された範囲に該当する目標SIRの上限値以下に設定する、基地局。
【請求項８】
請求項１ないし５のいずれか１項に記載の基地局において、
前記目標SIRの上限値は、前記ブースタ装置の送信出力の上限値と、該ブースタ装置との間の距離に基づいて設定される、基地局。
【請求項９】
移動機との間で無線通信を行う基地局における方法であって、
移動機との間で送受信される信号の遅延時間に基づいて、該移動機がブースタ装置を介して無線通信を行っているかどうかを判別する第１の判別ステップと、
前記移動機からの上りリンクの信号の受信SIRに基づいて送信電力制御を行う際に、該受信SIRと比較すべき目標SIRを設定する目標SIR設定ステップと、
該目標SIR設定ステップにより設定された目標SIRと、前記受信SIRとに基づいて、前記移動機の送信電力を制御するために設定すべき送信電力制御信号を生成する送信電力制御信号生成ステップと、
前記移動局に、前記送信電力制御信号生成部により生成された送信電力制御信号を送信する送信ステップと
を有し、
前記目標SIR設定ステップでは、前記第１の判別ステップにより前記移動機が前記ブースタ装置を介して無線通信を行っていると判定された場合に、目標SIRを所定の上限値以下に設定する、方法。
【請求項１０】
請求項９に記載の方法において、
下りリンクの受信品質に基づいて、リソースブロックを割り当てるべき移動機を設定するスケジューリングステップ
を有し、
前記スケジューリングステップでは、前記第１の判別ステップにより、前記ブースタ装置を介して無線通信を行っていると判定された移動機に対して割り当てるべきリソースブロックの数を制限する、方法。
【請求項１１】
請求項９又は１０に記載の方法において、
前記移動機からの上りリンクの信号に基づいて測定されたパスロスに基づいて、該移動機がブースタ装置を介して無線通信を行っているかどうかを判別する第２判別ステップ
を有し、
前記目標SIR設定ステップでは、前記第１の判別ステップにより前記移動機が前記ブースタ装置を介して無線通信を行っていると判定され、且つ前記第２の判別ステップにより前記移動機が前記ブースタ装置を介して無線通信を行っていると判定された場合に、目標SIRを所定の上限値以下に設定する、方法。
【発明の詳細な説明】
【技術分野】
【０００１】
本発明は、無線通信システムに関する。
【背景技術】
【０００２】
LTE(Long Term Evolution)は、W-CDMA(Wideband-Code Division Multiple Access)の標準化団体3GPP(3rd Generation Partnership Project)にて、仕様が作成されている。LTEは、W-CDMAの拡張技術であるHSPA(High Speed Packet Access)から更に発展した標準規格である。LTEでは、下りリンクにおいて100Mbps以上、上りリンクにおいて50Mbps以上の高速通信が実現され、遅延の改善や周波数の利用効率向上などが図られる。
【０００３】
LTEでは、パルロスが小さい程高い受信SIRとなるように、送信電力制御(TPC: transmission power control)が行われることがある。該送信電力制御は、フラクショナル送信電力制御(Fractional TPC)と呼ばれる。
【０００４】
また、LTEでは、開ループ送信電力制御と、閉ループ送信電力制御とを併用することが予定されている。
【０００５】
開ループ送信電力制御が行われる際には、移動機は、基地局からの下りリンクの信号、例えば下りリンクリファレンスシグナルに基づいて、パスロスを測定する。該移動機は、該パスロスに基づいて、送信電力を決定する。
【０００６】
閉ループ送信電力制御が行われる際には、基地局は、移動機からの上りリンクの信号に基づいてパスロスを推定し、該パスロスに応じてターゲットSIRを設定する。該基地局は、移動機からの上りリンクの信号に基づいて、受信SIRを測定する。該基地局は、ターゲットSIRに、受信SIRが等しくなるように送信電力を制御する。具体的には、該基地局は、送信電力の上げ又は下げを表す送信電力制御コマンド(TPC Command)を送信する。
【先行技術文献】
【非特許文献】
【０００７】
【非特許文献１】TS36.213 V9.2.0 2010 06
【発明の概要】
【発明が解決しようとする課題】
【０００８】
LTEでは、弱電界エリアを経済的にエリア化することにより不感地帯を減少させるために、ブースタ装置を適用することが考えられている。ブースタ装置とは、基地局と移動機との間の無線信号を受信し、該受信信号を増幅して再放射する装置である。具体的には、基地局からの下りリンクの信号を受信し、増幅して、移動機に送信する。また、移動機からの上りリンクの信号を受信し、増幅して、基地局に送信する。
【０００９】
ブースタ装置を介して、基地局からの下りリンクの信号が移動機に受信されると、ブースタ装置を介さない場合と比較して、ブースタ装置により設定された利得（以下、「ブースタ利得」という）の分小さく、パスロスが測定される。同様に、ブースタ装置を介して、移動機からの上りリンクの信号が基地局に受信されると、ブースタ装置を介さない場合と比較して、ブースタ利得の分小さく、パスロスが測定される。
【００１０】
図１は、ブースタ装置を介して、基地局と移動機とが通信する場合に生じ得る問題を示す。
【００１１】
ブースタ装置を介さない場合には、例えば、移動機から送信された上りリンクの信号に基づいて、基地局で測定されるパスロスは、L０である。
【００１２】
ブースタ装置を介して基地局からの下りリンクの信号が移動機に受信されると、ブースタ装置を介さない場合と比較して、ブースタ利得の分小さく、パスロスが測定される。
【００１３】
上りリンクについて説明する。
【００１４】
例えば、移動機から送信された上りリンクの信号がブースタ装置に受信された場合、該ブースタ装置により測定されるパスロスをL２とする。また、ブースタ装置から送信された上りリンクの信号が基地局に受信された場合、該基地局により測定されるパスロスをL１とする。ブースタ装置により増幅されない場合には、L０＝L１＋L2である。ブースタ利得をG[dB]とすると、移動機から送信された上りリンクの信号が、ブースタ装置により増幅され、基地局に受信された場合、該基地局により測定されるパスロスは、L１＋L２−Gとなる。
【００１５】
従って、ブースタ装置と移動機との間のパスロス(L２)がブースタ利得G以下である場合には、基地局により測定されるパスロスはL1以下となる。基地局は、パスロスに応じてターゲットSIRを設定するため、パスロスが小さい場合、大きな値のターゲットSIRが設定される。大きな値のターゲットSIRが設定されるため、移動機に、送信電力を上げることを表すTPCコマンドを送信することが多い。基地局は、ターゲットSIRと、移動機からの上りリンクの信号に基づいて測定された受信SIRとに基づいて送信電力を調整するためである。移動機は、基地局からのTPCコマンドに従って、送信電力を増加させて上りリンクの信号を送信する。該上りリンクの信号は、ブースタ装置に受信され、該ブースタ装置により増幅され、基地局に送信される。基地局で大きな値のターゲットSIRが設定された結果、該ターゲットSIRに基づいて送信電力が調整され、移動機が送信電力を増加させ続けることがある。移動機が送信電力を増加させ続けた場合、ブースタ装置では、ある程度は、該送信電力に応じて出力を増加させ続けることができる。しかし、ブースタ装置の送信出力には限界があるため、該送信出力を超えるような出力となる上りリンクの信号が移動機から送信されても、該上りリンクの信号に応じて送信出力を増加させることができない場合がある。ブースタ装置において、送信出力を増加させることができないため、基地局では、さらに送信電力を増加させることを表すTPCコマンドを送信することになる。しかし、移動機が該TPCコマンドに従って送信電力を増加させても、ブースタ装置の送信出力の限界により、送信出力を増加させることができず、基地局では、さらに送信電力を増加させることを表すTPCコマンドを送信する制御が繰り返される。
【００１６】
下りリンクについて説明する。
【００１７】
例えば、基地局から送信された下りリンクの信号がブースタ装置に受信された場合、該ブースタ装置により測定されるパスロスをL１とする。また、ブースタ装置から送信された下りリンクの信号が移動機に受信された場合、該移動機により測定されるパスロスをL２とする。ブースタ利得をG[dB]とすると、基地局から送信された下りリンクの信号が移動機に受信された場合、該移動機により測定されるパスロスは、L１＋L２−Gとなる。
【００１８】
従って、ブースタ装置と移動機との間のパスロス(L２)がブースタ利得G以下である場合には、移動機により測定されるパスロスはL1以下となる。パスロスが小さい場合、移動機は、パスロスに応じて送信電力を設定するため、送信電力を増加させて上りリンクの信号を送信する。該上りリンクの信号は、ブースタ装置に受信され、該ブースタ装置により、増幅され、基地局に送信される。この場合も同様に、移動機が送信電力を増加させ続けた場合、ブースタ装置では、ある程度は、該送信電力に応じて出力を増加させ続けることができる。しかし、ブースタ装置の上りリンクの送信出力には限界があるため、該送信出力を超える上りリンクの信号が移動機から送信されても、該上りリンクの信号に応じて送信出力を増加させることができない。
【００１９】
ブースタ装置により送信されるべき上りリンクの信号がブースタ装置の送信出力を超える場合に、ブースタ装置により生じうる動作について説明する。
【００２０】
図２は、ブースタ装置により送信されるべき上りリンクの信号が該ブースタ装置の送信出力を超える場合の動作の例を示す。
【００２１】
例えば、ブースタ装置は、ブースタ利得を減少させる。ブースタ利得を下げると送信出力を下げることができるため、送信出力を超える信号が送信されないようにできる。ブースタ利得を減少させると、ブースタ装置によりカバーされるエリアが縮小する。ブースタ装置が複数のキャリアに対応し、同一の利得で増幅処理を行っている場合には、該複数のキャリアについてエリアの縮小が生じうる。
【００２２】
また、例えば、ブースタ装置は、シャットダウンする。送信出力を超える信号の送信が要求されるため、故障であると誤認識するためである。
【００２３】
そこで、本発明は上述した問題点に鑑みてなされたものであり、その目的は、ブースタ装置により送信されるべき上りリンクの信号が、該ブースタ装置の送信出力を超えることを減少させることにある。
【課題を解決するための手段】
【００２４】
本基地局は、
移動機との間で無線通信を行う基地局であって、
移動機との間で送受信される信号の遅延時間に基づいて、該移動機がブースタ装置を介して無線通信を行っているかどうかを判別する第１の判別部と、
前記移動機からの上りリンクの信号の受信SIRに基づいて送信電力制御を行う際に、該受信SIRと比較すべき目標SIRを設定する目標SIR設定部と、
該目標SIR設定部により設定された目標SIRと、前記受信SIRとに基づいて、前記移動機の送信電力を制御するために設定すべき送信電力制御信号を生成する送信電力制御信号生成部と、
前記移動局に、前記送信電力制御信号生成部により生成された送信電力制御信号を送信する送信部と
を有し、
前記目標SIR設定部は、前記第１の判別部により前記移動機が前記ブースタ装置を介して無線通信を行っていると判定された場合に、目標SIRを所定の上限値以下に設定する。
【００２５】
本方法は、
移動機との間で無線通信を行う基地局における方法であって、
移動機との間で送受信される信号の遅延時間に基づいて、該移動機がブースタ装置を介して無線通信を行っているかどうかを判別する第１の判別ステップと、
前記移動機からの上りリンクの信号の受信SIRに基づいて送信電力制御を行う際に、該受信SIRと比較すべき目標SIRを設定する目標SIR設定ステップと、
該目標SIR設定ステップにより設定された目標SIRと、前記受信SIRとに基づいて、前記移動機の送信電力を制御するために設定すべき送信電力制御信号を生成する送信電力制御信号生成ステップと、
前記移動局に、前記送信電力制御信号生成部により生成された送信電力制御信号を送信する送信ステップと
を有し、
前記目標SIR設定ステップでは、前記第１の判別ステップにより前記移動機が前記ブースタ装置を介して無線通信を行っていると判定された場合に、目標SIRを所定の上限値以下に設定する。
【発明の効果】
【００２６】
開示の基地局及び方法によれば、ブースタ装置により送信されるべき上りリンクの信号が、該ブースタ装置の送信出力を超えることを減少させることができる。
【図面の簡単な説明】
【００２７】
【図１】ブースタ装置を介して無線通信を行う例を示す図である。
【図２】ブースタ装置を介して無線通信を行う場合に生じる問題の例を示す図である。
【図３】本実施例に従ったシステムの一例を示す図である。
【図４】本実施例に従った基地局を示す機能ブロック図である。
【図５】本実施例に従った基地局の動作の一例を示すフローチャートである。
【図６】本実施例に従った基地局により利用されるテーブルの一例を示す図である。
【図７】本実施例に従った基地局を示す機能ブロック図である。
【図８】本実施例に従った基地局の動作の一例を示すフローチャートである。
【図９】本実施例に従った基地局により利用されるテーブルの一例を示す図である。
【発明を実施するための形態】
【００２８】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２９】
＜実施例＞
＜システム＞
本実施例に従った基地局が適用される環境について説明する。
【００３０】
本基地局が適用される環境は、複数の移動体通信システムが混在する環境であってもよい。該移動体通信システムには、Evolved UTRA and UTRAN方式の移動体通信システムが含まれる。Evolved UTRAN and UTRAN方式の移動体通信システムは、LTEとも呼ばれる。さらに、W-CDMA方式の移動体通信システムが含まれてもよい。さらに、次世代の移動体通信システムが含まれてもよい。
【００３１】
基地局によりカバーされるエリアには、１又は複数のセルが含まれる。該複数のセルには、同一周波数帯で無線通信可能なセルが存在する。該同一周波数帯で無線通信可能なセルは周波数レイヤーと呼ばれてもよい。
【００３２】
図３は、本基地局１００が適用される環境の一例を示す模式図である。図３には、一例として、LTE方式に従った基地局１００と、該基地局１００によりカバーされるエリアが示される。該エリアには、ある移動機との間の無線通信に使用される周波数帯とは異なる他の周波数帯で無線通信可能なセルが含まれてもよい。該エリアには、移動機との間で無線通信可能なセル１５０が含まれる。該エリア１５０には、ブースタ装置２００が設置される。ブースタ装置２００が設置される位置は、基地局１００による無線通信可能なエリアのカバー率を向上させる観点からは、基地局１００によりカバーされるエリアの端の領域であるのが好ましい。基地局１００によりカバーされるエリアの端の領域に、ブースタ装置２００を設置することにより、基地局１００によりカバーされるエリアを拡張できる。
【００３３】
また、基地局１００と、ブースタ装置２００との間の距離が大きい場合に、ブースタ装置により送信されるべき上りリンクの信号が送信出力を超えると想定されるからである。
【００３４】
ブースタ装置２００は、エリア２５０をカバーする。該エリア２５０には、移動機３００が位置する。該移動機３００は、ブースタ装置２００を介して、基地局１００との間で無線通信可能である。
【００３５】
また、ブースタ装置２００には、屋外用のブースタ装置、屋内用のブースタ装置、家庭用のブースタ装置が含まれてもよい。
【００３６】
＜基地局＞
本基地局１００は、MME（図示なし）と接続される。MMEは、コアネットワーク（図示なし）と接続される。本基地局１００は、セル１５０をカバーする。移動機３００は、本基地局１００との間で、Evolved  UTRA  and  UTRAN方式により通信を行う。MMEは、サービングゲートウェイ(SGW: Serving GateWay)とともに実現されてもよい。MME/S-GWは、アクセスゲートウェイと呼ばれることもある。本基地局１００は、エヴォルブドパケットコア(EPC: Evolved Packet Core)（図示なし）と接続されてもよい。
【００３７】
MME/SGWに１台の基地局装置が接続されてもよいし、複数の基地局装置が接続されてもよい。
【００３８】
＜送信電力制御方法＞
本基地局１００は、送信電力制御を行う。例えば、開ループ送信電力制御と、閉ループ送信電力制御とが併用される。送信電力制御が行われる際に、基地局１００は、移動機３００がブースタ装置２００を介して無線通信を行っているかどうかを判別する。本基地局１００は、ブースタ装置２００を介して無線通信を行っていると判別した場合、ブースタ装置２００により送信されるべき上りリンクの信号が該ブースタ装置の送信出力を超えないように、移動機３００の送信電力を制御する。
【００３９】
図４は、本基地局１００を示す。
【００４０】
本基地局１００は、判別部１０２を有する。
【００４１】
判別部１０２は、当該基地局１００と無線通信を行う移動機３００がブースタ装置２００を介して無線通信を行っているかどうかを判別する。
【００４２】
＜ブースタ装置２００を介して無線通信を行っているかどうかの判別方法＞
ブースタ装置２００を介して、移動機３００と、基地局１００とが無線通信を行う場合には、ブースタ装置２００を介さないで無線通信を行う場合よりも、移動機３００からの上りリンクの信号の受信時間が遅くなる。すなわち、ブースタ装置２００を介さないで無線通信を行う場合よりも、ブースタ装置２００を介して無線通信を行う場合の方が、基地局１００により受信されるべき信号の遅延が大きくなる。ブースタ装置２００が移動機３００からの上りリンクの信号を受信し、増幅するための装置内処理時間が加算されるためである。
【００４３】
判別部１０２は、移動機３００により送信されるべき信号の遅延時間に基づいて、該移動機３００がブースタ装置２００を介して無線通信を行っているかどうかを判別する。基地局１００は、移動機３００との間で、タイミング同期(Time Alignment)を行う。例えば、無線アクセス手順の際にタイミング同期が実行される。該タイミング同期の際に使用される遅延時間が利用されてもよい。また、移動機３００により位置測位が実行された際に用いられた遅延時間が利用されてもよい。移動機３００は、通信中に位置測位を行う。
【００４４】
判別部１０２は、遅延時間が所定の閾値（以下、「遅延時間閾値」という）以上である場合、移動機３００がブースタ装置２００を介して無線通信を実行していると判別する。一方、判別部１０２は、遅延時間が所定の遅延時間閾値未満である場合、移動機３００と直接無線通信を実行していると判別する。遅延時間閾値は、ブースタ装置２００の設置位置、ブースタ装置２００の処理時間（受信処理時間、増幅処理時間）に基づいて予め設定される。基地局１００とブースタ装置２００との間の距離が離れるほど、ブースタ装置２００には高い送信出力が要求される。従って、ブースタ装置２００のエリアの縮小、シャットダウンが生じる場合のブースタ装置２００と基地局１００との間の距離を求めることができる。該距離から遅延時間閾値を求める。また、本基地局１００のセル１５０の端に位置する移動機により送信された上りリンクの信号の遅延時間に基づいて、遅延時間閾値が予め設定されてもよい。
【００４５】
判別部１０２は、ブースタ装置２００を介して、移動機３００が無線通信を行っているかどうかを表す情報をターゲットSIR設定部１０６と、スケジューラ１１０に入力する。
【００４６】
本基地局１００は、ターゲットSIR設定部１０６を有する。該ターゲットSIR設定部１０６は、判別部１０２と接続される。また、該ターゲットSIR設定部１０６には、パスロスが入力される。
【００４７】
例えば、パスロスは、パワーヘッドルームレポート(PHR: Power Headroom Reporting)に基づいて推定されるようにしてもよい。移動機３００は、定期的にパワーヘッドルーム(Power Headroom)を報告する。パワーヘッドルームには、電力の余裕分、つまり、最大送信電力から実際の送信電力を減算したものを表す情報が含まれる。本基地局１００は、該Power Headroomから、移動機３００により制御される送信電力を計算できる。
【００４８】
また、例えば、パスロスは、送信電力から推定されてもよい。例えば、基地局１００は受信レベルを測定し、該受信レベルに基づいてパスロスを推定する。この場合、受信レベルの測定誤差がパスロス推定誤差となる。
【００４９】
基地局１００は、移動機３００の送信電力から逆算するようにしてもよい。移動機３００の送信電力は、パスロスと、基地局１００からのTPCコマンドによる調整によって設定される。このため、基地局１００がTPCコマンドの調整分を把握することによりパスロスを逆算できる。移動機３００により測定されたパスロスを推定することになるため、下りリンクのパスロスを推定することになる。TPCコマンドの調整分にずれがない場合には、パスロスの推定値もずれない。
【００５０】
上述したパスロスの推定方法は一例であり、他の方法によりパスロスを推定してもよい。
【００５１】
ターゲットSIR設定部１０６には、判別部１０２により移動機３００が無線通信を行っているかどうかを表す情報が入力される。
【００５２】
ターゲットSIR設定部１０６は、パスロスに基づいて、ターゲットSIRを設定する。ターゲットSIRは、基地局１００が移動機３００からの上りリンクの信号の受信SIRに基づいて、該移動機３００の送信電力を調整する際に使用される。基地局１００は、ターゲットSIRと、受信SIRとを比較し、ターゲットSIRに、受信SIRを近づけるように、送信電力を制御する。ターゲットSIRを設定する際に、ターゲットSIR設定部１０６は、判別部１０２により入力されるべき情報が、移動機３００がブースタ装置を介して無線通信を行っていることを表す場合、設定されるべきターゲットSIRの上限値を設定する。すなわち、パスロスに基づいて計算されたターゲットSIRがターゲットSIRの上限値を超える場合には、ターゲットSIRの上限値に、ターゲットSIRが設定される。
【００５３】
例えば、ターゲットSIRの上限値は、ブースタ装置２００の送信出力の上限値と、該ブースタ装置２００の位置とに基づいて、ブースタ装置により送信されるべき上りリンクの信号の送信出力を超えないように設定される。該ブースタ装置２００の位置に基づいて、当該基地局１００と、ブースタ装置２００との間の距離が求められる。また、例えば、ターゲットSIRの上限値は、基地局１００の位置と、ブースタ装置２００の位置と、移動機３００の位置とに基づいて、予め設定されてもよい。例えば、基地局１００の位置と、ブースタ装置２００の位置とに基づいて、当該基地局１００と、ブースタ装置２００との間のパスロスが推定される。また、ブースタ装置２００の位置と、該ブースタ装置２００のカバーするエリアの端に、移動機３００が位置すると仮定した場合の移動機３００の位置とに基づいて、ブースタ装置２００と、移動機３００との間のパスロスが推定される。両パスロスと、ブースタ装置２００のブースタ利得に基づいて、基地局１００と、移動機３００との間のパスロスが推定され、該パスロスに基づいて、ターゲットSIRの上限値を求める。
【００５４】
上述したターゲットSIRの上限値の設定方法は一例であり、他の方法により求められたターゲットSIRの上限値が使用されてもよい。
【００５５】
ターゲットSIR設定部１０６は、TPCコマンド計算部１０８に、設定すべきターゲットSIRを入力する。
【００５６】
本基地局１００は、TPCコマンド生成部１０８を有する。該TPCコマンド生成部１０８は、ターゲットSIR設定部１０６と接続される。該TPCコマンド生成部１０８には、受信SIRが入力される。該受信SIRは、移動機３００からの上りリンクの信号に基づいて測定されたものであってもよい。
【００５７】
例えば、基地局１００は、リファレンスシグナル(RS: Reference Signal)から受信SIRを測定する。
【００５８】
該リファレンスシグナルには、上りデータチャネルに含まれるデモジュレーションリファレンスシグナル(DM RS: Demodulation Reference Signal)が含まれる。例えば、物理上りリンク共有チャネル(PUSCH: Physical Uplink Shared Channel) に含まれるデモジュレーションリファレンスシグナルに基づいて、受信SIRが測定されてもよい。
【００５９】
該リファレンスシグナルには、サウンディングリファレンスシグナル(SRS: Sounding Reference Signal)が含まれる。サウンディングリファレンスシグナルに基づいて、受信SIRが測定されることにより、定期的に受信SIRを測定することができる。SRSは定期的に送信されるからである。また、全帯域における受信SIRを測定できる。SRSは、全帯域に送信されるためである。
【００６０】
上述した受信SIRの測定方法は一例であり、他の方法により受信SIRが測定されてもよい。
【００６１】
TPCコマンド生成部１０８は、ターゲットSIR設定部１０６により入力されたターゲットSIRと、受信SIRとに基づいて、TPCコマンドを生成する。例えば、TPCコマンド生成部１０８は、受信SIRがターゲットSIR以上である場合には、送信電力を減少させることを表すTPCコマンドを生成する。また、TPCコマンド生成部１０８は、受信SIRがターゲットSIR未満である場合には、送信電力を増加させることを表すTPCコマンドを生成する。
【００６２】
TPCコマンド生成部１０８は、送信機（図示なし）に、TPCコマンドを入力する。TPCコマンドは、送信機によりブースタ装置２００を介して、移動機３００に無線送信される。
【００６３】
本基地局１００は、スケジューラ１１０を有する。該スケジューラ１１０は、判別部１０２と接続される。スケジューラ１１０には、判別部１０２により、移動機３００が無線通信を行っているかどうかを表す情報が入力される。また、スケジューラ１１０には、移動局３００により送信されるべき受信品質が入力される。該受信品質には、受信SIRが含まれる。
【００６４】
スケジューラ１１０は、移動局３００により送信されるべき受信品質に基づいて、リソースブロック(RB: Resource Block)を割り当てるべき移動機を選択する。リソースブロックを割り当てる際に、スケジューラ１１０は、判別部１０２により入力されるべき情報が、移動機３００がブースタ装置２００を介して無線通信を行っていることを表す場合、該移動機３００に割り当てるべきリソースブロックの数を制限する。例えば、割り当てるべきリソースブロックの数を減少させる。また、割り当てるべきリソースブロックの数の上限値が設定されてもよい。該移動機３００に割り当てるべきリソースブロックの数を制限することにより、該移動機３００が上りリンクの信号を送信するための送信電力を減少させることができる。
【００６５】
また、スケジューラ１１０は、リソースブロックの数を減少させる際、隣接セルと異なる順番で減少させてもよい。リソースブロックを減少させる順番は基地局１００に、隣接セルと異なる順番となるように予め設定されてもよい。また、基地局間でお互いに通知しあうことにより、隣接セルと異なる順番となるようにしてもよい。例えば、利用され得るリソースブロックの情報を通知し、他のセルから通知された利用され得るリソースブロックの情報に基づいて、減少させるべきリソースブロックとして、他のセルから通知された利用され得るリソースブロックを設定してもよいし、逆に、利用されないリソースブロックの情報を通知し、他のセルから通知された利用されないリソースブロックの情報に基づいて、減少させるべきリソースブロックとして、他のセルから通知された利用されないリソースブロック以外のリソースブロックを設定してもよい。隣接セルと異なる順番でリソースブロックを減少させることにより、リソースブロックを減少させた後のリソースブロックの位置が周辺セルと異なる位置となる可能性を高めることができ、セル間の干渉が低減できる。
【００６６】
＜基地局の動作＞
図５は、本基地局１００の動作を示すフローチャートである。
【００６７】
本基地局１００は、遅延時間の測定を行う（ステップＳ５０２）。例えば、タイミング同期の際に使用される遅延時間が利用されてもよいし、移動機３００により位置測位が実行された際に用いられた遅延時間が利用されてもよい。タイミング同期は、通信開始の際に実行される。
【００６８】
本基地局１００は、遅延時間が遅延時間閾値以上であるかどうかを判定する（ステップＳ５０４）。例えば、判別部１０２は、遅延時間が遅延時間閾値以上であるかどうかを判定する。
【００６９】
遅延時間が遅延時間閾値以上であると判定した場合（ステップＳ５０４：ＹＥＳ）、本基地局１００は、ターゲットSIR の上限値の設定及び該移動機３００に割り当てるべきリソースブロックの制限のうち、少なくとも一方を行う（ステップＳ５０６）。
【００７０】
例えば、ターゲットSIR設定部１０６は、判別部１０２により遅延時間が遅延時間閾値以上であると判別された場合、ターゲットSIRの上限値を設定する。ターゲットSIRの上限値が設定されるため、ターゲットSIR設定部１０６により設定されるターゲットSIRがターゲットSIRの上限値を超えることがない。ターゲットSIR設定部１０６により設定されるターゲットSIRがターゲットSIRの上限値を超えることがないため、TPCコマンド生成部１０８により生成されるTPCコマンドにより制御される移動局３００の送信電力は所定値以下となる。移動機３００により送信される上りリンクの信号の送信電力が所定値以下となるため、該信号が、ブースタ装置２００により増幅されても、該ブースタ装置の送信出力を超えることがない。
【００７１】
また、例えば、スケジューラ１１０は、判別部１０２により遅延時間が遅延時間閾値以上であると判別された場合、遅延時間が遅延時間閾値以上である移動機３００に割り当てるべきリソースブロックの数を制限する。割り当てるべきリソースブロックの数が制限されるため、移動機３００が、上りリンクの信号を送信する際に設定されるべき送信電力を減少させることができる。移動機３００により送信される上りリンクの信号の送信電力を減少させることができるため、該上りリンクの信号が、ブースタ装置２００により増幅されても、該ブースタ装置の送信出力を超える確率を減少させることができる。
【００７２】
一方、ステップＳ５０４により遅延時間が遅延時間閾値未満であると判定した場合（ステップＳ５０４：ＮＯ）、本基地局１００は、ターゲットSIR の上限値を設定することなく、また、該移動機３００に割り当てるべきリソースブロックを制限することなく、ステップＳ５０２に戻る。移動機３００がブースタ装置２００を介して無線通信を行っていないため、ターゲットSIRの上限値を設定したり、割り当てるべきリソースブロックの数を制限したりする必要がないためである。
【００７３】
ブースタ装置には用途に応じて様々な種別が存在し、各ブースタ装置により遅延時間、ブースタ利得、最大出力が異なる。例えば、屋外で用いるブースタ装置、屋内で用いるブースタ装置、家庭用の小電力のブースタ装置が存在する。
【００７４】
様々なブースタ装置が存在することを考慮して、遅延時間区分値、ターゲットSIR、割当てRBの制限値が複数設定されてもよい。遅延時間区分値は、遅延時間閾値以上の値である。
【００７５】
図６は、遅延時間区分値と、ターゲットSIRと、割当てRBの制限値との関係の一例を示す。複数の遅延時間区分値が設定される場合には、遅延時間区分値により示される複数の範囲に応じて、ターゲットSIR、割当てRBの制限値が設定される。図５を参照して説明したフローのステップＳ５０４では、遅延時間が、図６に示される遅延時間区分値により示される複数の範囲のどの範囲に該当するかが判定される。該当する範囲に対応するターゲットSIR、割当てリソースブロックの制限値が設定される。複数の遅延時間区分値が設定されることにより、ブースタ装置の種類に応じて最適な、ターゲットSIR、割当てRBの制限値が設定される。
【００７６】
また、上りリンクの干渉レベルが小さい場合には、移動局３００に設定されるべき送信電力が小さくても、ターゲットSIRを満足できる場合が多い。このため、上りリンクの干渉レベルに応じて、遅延時間閾値、ターゲットSIR、割当てRBの制限値を調整する機能を有するようにしてもよい。具体的には、上り干渉レベルに応じて、図６に示されるようなテーブルが複数用意されてもよい。
【００７７】
本実施例によれば、ブースタ装置により送信されるべき上りリンクの信号がブースタ装置の送信出力を超えることを減少させることができる。このため、ブースタ装置が、ブースタ利得を下げてしまうことにより生じるエリア減少や、シャットダウンを回避できる。ブースタ装置によりカバーされるエリアであっても、信頼性の高いサービスを提供できる。
【００７８】
＜変形例＞
＜システム＞
本変形例に従った基地局が適用される環境は、図３を参照して説明した環境と同様である。
【００７９】
＜基地局＞
本基地局１００は、上述した実施例に従った基地局と、移動機３００がブースタ装置２００を介して無線通信を行っているかどうかを判別する際の判別方法が異なる。
【００８０】
本基地局１００は、移動機３００との間の遅延時間に加え、パスロスに基づいて、移動機３００がブースタ装置２００を介して無線通信を行っているかどうかを判別する。移動機３００との間の遅延時間に加え、パスロスに基づいて判別することにより、より正確に、移動機３００がブースタ装置２００を介して無線通信を行っているかどうかを判別することができる。
【００８１】
セル端に位置する移動機等の基地局１００から遠い移動機は、ブースタ装置２００を介して無線通信を行っていないにも拘わらず、遅延時間が大きく測定されることが多い。遅延時間が大きく測定されると、ブースタ装置２００を介して無線通信を行っていると誤って判別される虞がある。
【００８２】
そこで、本変形例に従った基地局１００では、遅延時間に加え、パスロスに基づいて、移動機３００がブースタ装置２００を介して無線通信を行っているかどうかを判別する。ブースタ装置２００を介して無線通信を行っている移動機は、ブースタ装置２００を介さないで無線通信を行っている移動機よりも、パスロスが小さく測定されるためである。具体的には、本基地局１００は、パスロスが所定の閾値（以下、「パスロス閾値」という）未満である場合、ブースタ装置２００を介して無線通信を行っていると判別する。また、本基地局１００は、パスロスがパスロス閾値以上である場合、ブースタ装置２００を介さないで無線通信を行っていると判別する。パスロス閾値は、ブースタ装置２００の設置位置、に基づいて予め設定される。基地局１００とブースタ装置２００との間の距離が離れるほど、パスロスは大きくなる。従って、ブースタ装置２００のエリアの縮小、シャットダウンが生じる場合のブースタ装置２００と基地局１００との間の距離を求めることができる。該距離からパスロス閾値を求める。また、本基地局１００のセル１５０の端に位置する移動機により送信された上りリンクの信号のパスロスに基づいて、パスロス閾値が予め設定されてもよい。ブースタ装置２００の処理時間（受信処理時間、増幅処理時間）に基づいて設定されてもよい。
【００８３】
すなわち、本基地局１００は、遅延時間が遅延時間閾値未満である場合にはブースタ装置２００を介さないで無線通信を行っていると判定する。また、本基地局１００は、遅延時間が遅延時間閾値以上且つパスロスがパスロス閾値以上である場合には、ブースタ装置２００を介さないで無線通信を行っていると判定する。また、本基地局１００は、遅延時間が遅延時間閾値以上且つパスロスがパスロス閾値未満である場合には、ブースタ装置２００を介して無線通信を行っていると判定する。
【００８４】
図７は、本基地局１００を示す。
【００８５】
本基地局１００は、図４を参照して説明した基地局と、判別部の機能以外の機能は同様である。
【００８６】
判別部１０２は、遅延時間判定部１０２２を有する。該遅延時間判定部１０２２には、遅延時間が入力される。該遅延時間判定部１０２２は、入力された遅延時間が、遅延時間閾値以上であるかどうかを判定する。
【００８７】
遅延時間が遅延時間閾値未満であると判定された場合、移動機３００とブースタ装置２００を介さないで無線通信を行っていると判定される。遅延時間が遅延時間閾値以上であると判定された場合、移動機３００とブースタ装置２００を介して無線通信を行っていると判定される。
【００８８】
遅延時間判定部１０２２は、ターゲットSIR設定部１０６と、スケジューラ１１０に、移動機３００とブースタ装置２００を介して無線通信を行っているかどうかを表す情報（以下、「１次判定情報」という）を入力する。また、該遅延時間判定部１０２２は、パスロス判定部１０２４に、１次判定情報を入力する。
【００８９】
判別部１０２は、パスロス判定部１０２４を有する。該パスロス判定部１０２４は、遅延時間判定部１０２２と、ターゲットSIR設定部１０６と、スケジューラ１１０と接続される。パスロス判定部１０２４には、パスロスが入力される。パスロス判定部１０２４は、遅延時間判定部１０２２により入力された１次判定情報が、移動機３００とブースタ装置２００を介して無線通信を行っていることを表す情報である場合、パスロスがパスロス閾値以上であるかどうかを判定する。
【００９０】
パスロスがパスロス閾値未満である場合、ブースタ装置２００を介して無線通信を行っていると判定する。パスロスがパスロス閾値以上である場合、ブースタ装置２００を介さないで無線通信を行っていると判定する。
【００９１】
パスロス判定部１０２４は、ターゲットSIR設定部１０６と、スケジューラ１１０に、移動機３００とブースタ装置２００を介して無線通信を行っているかどうかを表す情報（以下、「２次判定情報」という）を入力する。
【００９２】
ターゲットSIR設定部１０６は、パスロスに基づいて、ターゲットSIRを設定する。遅延時間判定部１０２２により入力された１次判定情報が、移動機３００とブースタ装置２００を介して無線通信を行っていることを表す情報である場合、設定されるべきターゲットSIRの上限値を設定する。また、遅延時間判定部１０２２により入力された１次判定情報が、移動機３００とブースタ装置２００を介さないで無線通信を行っていることを表す情報である場合、設定されるべきターゲットSIRの上限値を設定しない。
【００９３】
また、ターゲットSIR設定部１０６は、パスロス判定部１０２４により入力された２次判定情報が、移動機３００とブースタ装置２００を介して無線通信を行っていることを表す情報である場合、設定されるべきターゲットSIRの上限値を設定する。例えば、既に設定したターゲットSIRの設定を継続する。また、ターゲットSIR設定部１０６は、パスロス判定部１０２４により入力された２次判定情報が、移動機３００とブースタ装置２００を介さないで無線通信を行っていることを表す情報である場合、既に設定したターゲットSIRの設定を解除する。
【００９４】
スケジューラ１１０は、移動局３００により送信されるべき受信品質に基づいて、リソースブロックを割り当てる移動機を選択する。リソースブロックを割り当てる際に、スケジューラ１１０は、遅延時間判定部１０２２により入力された１次判定情報が、移動機３００とブースタ装置２００を介して無線通信を行っていることを表す情報である場合、該移動機３００に割り当てるべきリソースブロックの数を制限する。例えば、割り当てるべきリソースブロックの数を減少させる。また、割り当てるべきリソースブロックの数の上限値が設定されてもよい。また、遅延時間判定部１０２２により入力された１次判定情報が、移動機３００とブースタ装置２００を介さないで無線通信を行っていることを表す情報である場合、該移動機３００に割り当てるべきリソースブロックの数を制限しない。
【００９５】
また、スケジューラ１１０は、リソースブロックの数を減少させる際、隣接セルと異なる順番で減少させてもよい。リソースブロックを減少させる順番は基地局１００に、隣接セルと異なる順番となるように予め設定されてもよい。また、基地局間でお互いに通知しあうことにより、隣接セルと異なる順番となるようにしてもよい。例えば、利用され得るリソースブロックの情報を通知し、他のセルから通知された利用され得るリソースブロックの情報に基づいて、減少させるべきリソースブロックとして、他のセルから通知された利用され得るリソースブロックを設定してもよいし、逆に、利用されないリソースブロックの情報を通知し、他のセルから通知された利用されないリソースブロックの情報に基づいて、減少させるべきリソースブロックとして、他のセルから通知された利用されないリソースブロック以外のリソースブロックを設定してもよい。隣接セルと異なる順番でリソースブロックを減少させることにより、リソースブロックを減少させた後のリソースブロックの位置が周辺セルと異なる位置となる可能性を高めることができ、セル間の干渉が低減できる。
【００９６】
また、スケジューラ１１０は、パスロス判定部１０２４により入力された２次判定情報が、移動機３００とブースタ装置２００を介して無線通信を行っていることを表す情報である場合、該移動機３００に割り当てるべきリソースブロックの数を制限する。例えば、割り当てるべきリソースブロックの数を減少させる。例えば、該移動機３００に割り当てるべきリソースブロックの数の制限を継続する。また、ターゲットSIR設定部１０６は、パスロス判定部１０２４により入力された２次判定情報が、移動機３００とブースタ装置２００を介さないで無線通信を行っていることを表す情報である場合、該移動機３００に割り当てるべきリソースブロックの数の制限を解除する。
【００９７】
＜基地局の動作＞
図８は、本基地局１００の動作を示すフローチャートである。
【００９８】
本基地局１００は、遅延時間の測定を行う（ステップＳ８０２）。例えば、タイミング同期の際に使用される遅延時間が利用されてもよいし、移動機３００により位置測位が実行された際に用いられた遅延時間が利用されてもよい。タイミング同期は、通信が開始される際に実行される。
【００９９】
本基地局１００は、遅延時間が遅延時間閾値以上であるかどうかを判定する（ステップＳ８０４）。例えば、判別部１０２の遅延時間判定部１０２２は、遅延時間が遅延時間閾値以上であるかどうかを判定する。
【０１００】
遅延時間が遅延時間閾値以上であると判定した場合（ステップＳ８０４：ＹＥＳ）、本基地局１００は、ターゲットSIRの上限値の設定及び該移動機３００に割り当てるべきリソースブロックの制限のうち、少なくとも一方を行う（ステップＳ８０６）。
【０１０１】
例えば、ターゲットSIR設定部１０６は、判別部１０２の遅延時間判定部１０２２により遅延時間が遅延時間閾値以上であると判別された場合、ターゲットSIRの上限値を設定する。ターゲットSIRの上限値が設定されるため、ターゲットSIR設定部１０６により設定されるターゲットSIRがターゲットSIRの上限値を超えることがない。ターゲットSIR設定部１０６により設定されるターゲットSIRがターゲットSIRの上限値を超えることがないため、TPCコマンド生成部１０８により生成されるTPCコマンドにより制御される移動局３００の送信電力は所定値以下となる。移動機３００により送信される上りリンクの信号の送信電力が所定値以下となるため、該信号が、ブースタ装置２００により増幅されても、該ブースタ装置の送信出力を超えることがない。
【０１０２】
また、例えば、スケジューラ１１０は、判別部１０２の遅延時間判定部１０２２により遅延時間が遅延時間閾値以上であると判別された場合、遅延時間が遅延時間閾値以上である移動機３００に割り当てるべきリソースブロックの数を制限する。割り当てるべきリソースブロックの数が制限されるため、移動機３００が、上りリンクの信号を送信する際に設定されるべき送信電力を減少させることができる。移動機３００により送信される上りリンクの信号の送信電力を減少させることができるため、該上りリンクの信号が、ブースタ装置２００により増幅されても、該ブースタ装置２００の送信出力を超える確率を減少させることができる。
【０１０３】
一方、ステップＳ８０４により遅延時間が遅延時間閾値未満であると判定した場合（ステップＳ８０４：ＮＯ）、本基地局１００は、ターゲットSIRの上限値を設定することなく、また、該移動機３００に割り当てるべきリソースブロックを制限することなく、ステップＳ８０２に戻る。
【０１０４】
ステップＳ８０６により、ターゲットSIRの上限値の設定、及び割り当てるべきRBの制限が行われたのち、本基地局１００は、パスロスの測定を行う（ステップＳ８０８）。
【０１０５】
本基地局１００は、パスロスがパスロス閾値以上であるかどうかを判定する（ステップＳ８１０）。例えば、判別部１０２のパスロス判定部１０２４は、パスロスがパスロス閾値以上であるかどうかを判定する。
【０１０６】
パスロスがパスロス閾値以上であると判定した場合（ステップＳ８１０：ＹＥＳ）、本基地局１００は、ターゲットSIRの上限値の設定及び該移動機３００に割り当てるべきリソースブロックの制限を解除する（ステップＳ８１２）。移動機３００と、ブースタ装置２００を介さないで無線通信を行っていると判定されるためである。例えば、ターゲットSIR設定部１０６は、ターゲットSIRの上限値の設定を解除する。また、スケジューラ１１０は、移動機３００に割り当てるべきリソースブロックの制限を解除する。
【０１０７】
一方、ステップＳ８１０によりパスロスがパスロス閾値未満であると判定した場合（ステップＳ８１０：ＮＯ）、本基地局１００は、ステップＳ８０６によるターゲットSIR の上限値の設定及び該移動機３００に割り当てるべきリソースブロックの制限の少なく一方を継続する（ステップＳ８１４）。
【０１０８】
ステップＳ８１２又はステップＳ８１４による処理の後、ステップＳ８０２に戻る。
【０１０９】
図８に示されるフローチャートでは、遅延時間に基づいて、ターゲットSIRの上限値の設定、割り当てるべきリソースブロックの数の制限が行われる。これは、遅延時間は通信が開始される際に測定することが可能であるが、パスロスの測定にはある程度の時間を要するためである。通信が開始されてからパスロスの測定が実行されるまでの間に、ブースタ装置２００において、送信されるべき上りリンクの信号が該ブースタ装置の送信出力を超える状態となるのを防止するためである。
【０１１０】
遅延時間と、パスロスとに基づいて、移動局３００と、ブースタ装置２００を介して無線通信を行っているかどうかの判定が行われてから、ターゲットSIRの上限値の設定、割り当てるべきリソースブロックの数を制限してもよい。
【０１１１】
ブースタ装置には用途に応じて様々な種別が存在し、各ブースタ装置により遅延時間、ブースタ利得、最大出力が異なる。例えば、屋外で用いるブースタ装置、屋内で用いるブースタ装置、家庭用の小電力のブースタ装置が存在する。
【０１１２】
上述した実施例と同様に、様々なブースタ装置が存在することを考慮して、遅延時間区分値、パスロス区分値、ターゲットSIR、割当てRBの制限値が複数設定されてもよい。遅延時間区分値は、遅延時間閾値以上の値である。パスロス区分値は、パスロス閾値未満の値である。
【０１１３】
図９は、遅延時間区分値と、パスロス区分値と、ターゲットSIRと、割当てRBの制限値との関係の一例を示す。複数の遅延時間区分値、及びパスロス区分値が設定される場合には、遅延時間区分値により示される複数の範囲、及びパスロス区分値により示される複数の範囲に応じて、ターゲットSIR、割当てRBの制限値が設定される。図８を参照して説明したフローのステップＳ８０４では、遅延時間が、図６に示される遅延時間区分値により示される複数の範囲のどの範囲に該当するかが判定されてもよい。該当する範囲に対応するターゲットSIR、割当てリソースブロックの制限値が設定される。複数の遅延時間区分値が設定されることにより、ブースタ装置の種類に応じて最適な、ターゲットSIR、割当てRBの制限値が設定される。
【０１１４】
また、図８を参照して説明したフローのステップＳ８１４では、遅延時間、及びパスロスが、図９に示される、遅延時間区分値により示される複数の範囲のどの範囲に該当するか、パスロス区分値により示される複数の範囲のどの範囲に該当するかが判定される。該当する範囲に対応するターゲットSIR、割当てリソースブロックの制限値が設定される。複数の遅延時間区分値、パスロス区分値が設定されることにより、ブースタ装置の種類に応じて最適な、ターゲットSIR、割当てRBの制限値が設定される。
【０１１５】
また、上りリンクの干渉レベルが小さい場合には、移動局３００に設定されるべき送信電力が小さくても、ターゲットSIRを満足できる場合が多い。このため、上りリンクの干渉レベルに応じて、遅延時間区分値、パスロス区分値、ターゲットSIR、割当てRBの制限値を調整する機能を有するようにしてもよい。具体的には、上り干渉レベルに応じて、図９に示されるようなテーブルが複数用意されてもよい。
【０１１６】
本変形例によれば、移動機が、ブースタ装置を介して無線通信を行っているかどうかを判定する際の信頼性を向上させることができる。
【０１１７】
また、ブースタ装置により送信されるべき上りリンクの信号がブースタ装置の送信出力を超えることを減少させることができる。このため、ブースタ装置が、ブースタ利得を下げてしまうことにより生じるエリア減少や、シャットダウンを回避できる。ブースタ装置によりカバーされるエリアであっても、信頼性の高いサービスを提供できる。
【０１１８】
本基地局は、
移動機との間で無線通信を行う基地局であって、
移動機との間で送受信される信号の遅延時間に基づいて、該移動機がブースタ装置を介して無線通信を行っているかどうかを判別する判別部又は遅延時間判定部としての、第１の判別部と、
前記移動機からの上りリンクの信号の受信SIRに基づいて送信電力制御を行う際に、該受信SIRと比較すべき目標SIRを設定するターゲットSIR設定部としての、目標SIR設定部と、
該目標SIR設定部により設定された目標SIRと、前記受信SIRとに基づいて、前記移動機の送信電力を制御するために設定すべき送信電力制御信号を生成するTPCコマンド生成部としての、送信電力制御信号生成部と、
前記移動局に、前記送信電力制御信号生成部により生成された送信電力制御信号を送信する送信機としての、送信部と
を有し、
前記目標SIR設定部は、前記第１の判別部により前記移動機が前記ブースタ装置を介して無線通信を行っていると判定された場合に、目標SIRを所定の上限値以下に設定する。
【０１１９】
さらに、
下りリンクの受信品質に基づいて、リソースブロックを割り当てるべき移動機を設定するスケジューラ
を有し、
前記スケジューラは、前記第１の判別部により、前記ブースタ装置を介して無線通信を行っていると判定された移動機に対して割り当てるべきリソースブロックの数を制限する。
【０１２０】
さらに、
前記移動機からの上りリンクの信号に基づいて測定されたパスロスに基づいて、該移動機がブースタ装置を介して無線通信を行っているかどうかを判別するパスロス判定部としての、第２判別部
を有し、
前記目標SIR設定部は、前記第１の判別部により前記移動機が前記ブースタ装置を介して無線通信を行っていると判定され、且つ前記第２の判別部により前記移動機が前記ブースタ装置を介して無線通信を行っていると判定された場合に、目標SIRを所定の上限値以下に設定する。
【０１２１】
さらに、
前記第１の判別部は、前記遅延時間が、遅延時間閾値以上である場合に、移動機がブースタ装置を介して無線通信を行っていると判定し、
前記遅延時間閾値は、当該基地局と前記ブースタ装置との間の距離、前記ブースタ装置の処理時間に基づいて設定される。
【０１２２】
さらに、
遅延時間閾値以上の複数の遅延時間区分値により示される複数の範囲と、目標SIRの上限値との対応を示すテーブル
を有し、
前記第１の判別部は、前記テーブルに含まれる前記複数の遅延時間区分値により示される範囲のうち、前記遅延時間が含まれる範囲を判別し、
前記目標SIR設定部は、前記第１の判別部により判別された範囲に該当する目標SIRの上限値以下に設定する。
【０１２３】
さらに、
前記第２の判別部は、前記パスロスが、パスロス閾値未満である場合に、移動機がブースタ装置を介して無線通信を行っていると判定し、
前記パスロス閾値は、当該基地局と前記ブースタ装置との間の距離に基づいて設定される。
【０１２４】
さらに、
パスロス閾値未満の複数のパスロス区分値により示される複数の範囲と、目標SIRの上限値との対応を示すテーブル
を有し、
前記第２の判別部は、前記テーブルに含まれる前記複数のパスロス区分値により示される複数の範囲のうち、前記パスロスが含まれる範囲を判別し、
前記目標SIR設定部は、前記第２の判別部により判別された範囲に該当する目標SIRの上限値以下に設定する。
【０１２５】
さらに、
前記目標SIRの上限値は、前記ブースタ装置の送信出力の上限値と、該ブースタ装置との間の距離に基づいて設定される。
【０１２６】
本方法は、
移動機との間で無線通信を行う基地局における方法であって、
移動機との間で送受信される信号の遅延時間に基づいて、該移動機がブースタ装置を介して無線通信を行っているかどうかを判別する第１の判別ステップと、
前記移動機からの上りリンクの信号の受信SIRに基づいて送信電力制御を行う際に、該受信SIRと比較すべき目標SIRを設定する目標SIR設定ステップと、
該目標SIR設定ステップにより設定された目標SIRと、前記受信SIRとに基づいて、前記移動機の送信電力を制御するために設定すべき送信電力制御信号を生成する送信電力制御信号生成ステップと、
前記移動局に、前記送信電力制御信号生成部により生成された送信電力制御信号を送信する送信ステップと
を有し、
前記目標SIR設定ステップでは、前記第１の判別ステップにより前記移動機が前記ブースタ装置を介して無線通信を行っていると判定された場合に、目標SIRを所定の上限値以下に設定する。
【０１２７】
さらに、
下りリンクの受信品質に基づいて、リソースブロックを割り当てるべき移動機を設定するスケジューリングステップ
を有し、
前記スケジューリングステップでは、前記第１の判別ステップにより、前記ブースタ装置を介して無線通信を行っていると判定された移動機に対して割り当てるべきリソースブロックの数を制限する。
【０１２８】
さらに、
前記移動機からの上りリンクの信号に基づいて測定されたパスロスに基づいて、該移動機がブースタ装置を介して無線通信を行っているかどうかを判別する第２判別ステップ
を有し、
前記目標SIR設定ステップでは、前記第１の判別ステップにより前記移動機が前記ブースタ装置を介して無線通信を行っていると判定され、且つ前記第２の判別ステップにより前記移動機が前記ブースタ装置を介して無線通信を行っていると判定された場合に、目標SIRを所定の上限値以下に設定する。
【０１２９】
説明の便宜上、発明の理解を促すため具体的な数値例を用いて説明されるが、特に断りのない限り、それらの数値は単なる一例に過ぎず適切な如何なる値が使用されてよい。
【０１３０】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１３１】
１００  基地局(eNB: eNodeB)
１０２  判別部
１０２２  遅延時間判別部
１０２４  パスロス判別部
１０４  送信電力制御部
１０６  ターゲットSIR設定部
１０８  TPC(transmission power and rate control)コマンド生成部
１１０  スケジューラ
１５０  セル
２００  ブースタ装置
２５０  ブースタ装置のカバーするエリア
３００  移動機
【図１】
2012085058.tif 000003
【図２】
2012085058.tif 000004
【図３】
2012085058.tif 000005
【図４】
2012085058.tif 000006
【図５】
2012085058.tif 000007
【図６】
2012085058.tif 000008
【図７】
2012085058.tif 000009
【図８】
2012085058.tif 000010
【図９】
2012085058.tif 000011